(57)【要約】      （修正有）【課題】かまぼこ型のパイプビニールハウスの風圧や積雪による倒壊を防止すると共に、断熱効果を高めることができる補強農業用パイプビニールハウス及び補強農業用パイプビニールハウスの製造方法を提供する。【解決手段】設置面に略アーチ状に湾曲した湾曲パイプ２を所定間隔で複数立設して各湾曲パイプ２、２相互間を連結したかまぼこ型骨格部の外面をビニールシート５で覆ったかまぼこ型パイプビニールハウス１と、山形に連結された２本の直線状パイプ６、６の中途部が前記各湾曲パイプ２の両側部に固定され、各直線パイプ６、６の下端部が設置面の基礎材７に固定された山形のパイプの上端部が複数の横パイプで接続された補強骨格部と、補強骨格部の外面を覆うビニールシート１０とからなる補強農業用パイプビニールハウスＨ。【選択図】図７
2019080528.tif 000002
【特許請求の範囲】
【請求項１】
設置面に略アーチ状に湾曲した湾曲パイプを所定間隔で複数立設して各湾曲パイプ相互間を複数の横パイプで連結したかまぼこ型骨格部の外面をビニールシートで覆ったかまぼこ型パイプビニールハウスと、
山形に連結された２本の直線状パイプの中途部が前記各湾曲パイプの両側部に固定され、各直線パイプの下端部が設置面の基礎材に固定された山形のパイプ相互間を横パイプで接続した補強骨格部と、
前記補強骨格部の外面を覆うビニールシートとからなることを特徴とする補強農業用パイプビニールハウス。
【請求項２】
請求項１記載の補強農業用パイプビニールハウスにおいて、
前記かまぼこ型パイプビニールハウス内の設置面に農業用パイプビニールハウスの設置面より低い窪み部が形成されていることを特徴とする補強農業用パイプビニールハウス。
【請求項３】
請求項２記載の補強農業用パイプビニールハウスにおいて、
前記窪み部に高さを要する縦型水耕栽培装置又はラック型栽培装置を備えることを特徴とする補強農業用パイプビニールハウス。
【請求項４】
請求項１〜３のいずれか１項に記載の補強農業用パイプビニールハウスにおいて、
前記補強骨格部の両側下端部傾斜外面に太陽光パネルを備えることを特徴とする補強農業用パイプビニールハウス。
【請求項５】
請求項１〜４のいずれか１項に記載の補強農業用パイプビニールハウスにおいて、
前記農業用パイプビニールハウスが谷樋を介して複数棟連接した連棟式であることを特徴とする補強農業用パイプビニールハウス。
【請求項６】
設置面にアーチ状に湾曲した湾曲パイプを所定間隔で複数立設し、各湾曲パイプ相互間を複数の横パイプで連結したかまぼこ型骨格部の外面をビニールシートで覆ったかまぼこ型パイプビニールハウスの外側に、２本の直線状パイプを山形に連結し各直線パイプの中途部を各湾曲パイプの両側部に固定し、各直線パイプの下端部を設置面の基礎材に固定した補強骨格部を形成し、該補強骨格部の外面をビニールシートで覆うことを特徴とする補強農業用パイプビニールハウスの製造方法。
【請求項７】
請求項６記載の補強農業用パイプビニールハウスの製造方法において、
前記かまぼこ型パイプビニールハウス内の設置面に農業用パイプビニールハウスの設置面より低い窪み部を形成することを特徴とする補強農業用パイプビニールハウスの製造方法。
【請求項８】
請求項７記載の補強農業用パイプビニールハウスの製造方法において、
前記窪み部に高さを要する縦型水耕栽培装置又はラック型栽培装置を設置することを特徴とする補強農業用パイプビニールハウスの製造方法。
【請求項９】
請求項６〜８のいずれか１項に記載の補強農業用パイプビニールハウスの製造方法において、
前記補強骨格部の両側下端部傾斜外面に太陽光パネルを備えることを特徴とする補強農業用パイプビニールハウスの製造方法。
【請求項１０】
請求項６〜９のいずれか１項に記載の補強農業用パイプビニールハウスの製造方法において、
前記補強農業用パイプビニールハウスを谷樋を介して複数棟連接した連棟式とすることを特徴とする補強農業用パイプビニールハウスの製造方法。
【発明の詳細な説明】
【技術分野】
【０００１】
本発明は、補強農業用パイプビニールハウス及び補強農業用パイプビニールハウスの製造方法に関する。
【背景技術】
【０００２】
従来、農業用パイプビニールハウスとしては、特許文献１、２に示すように、アーチ状に湾曲したアーチ材を所定間隔で複数立設した骨格部の外面をビニールシートで覆った構造のものが知られている。
【先行技術文献】
【特許文献】
【０００３】
【特許文献１】特開２０１３−１５８３０６号
【特許文献２】特開２０１４−２１７２９５号
【発明の概要】
【発明が解決しようとする課題】
【０００４】
しかしながら、従来例の農業用パイプビニールハウスにあっては、その簡易な構造上設備費が安くつくが、強度が弱く、かまぼこ型の断面をしているため、側面から強い風圧を受けると倒壊することが多々あるという問題があった。
また、積雪地域においては、かまぼこ型ハウスの半円形上面に雪が積もることで雪の加重に耐えられない場合が多く、そのことも倒壊の主な原因となっているなど、強度性に問題があった。
【０００５】
本発明の解決しようとする課題は、かまぼこ型のパイプビニールハウスの風圧や積雪による倒壊を防止すると共に、断熱効果を高めることができる補強農業用パイプビニールハウス及び補強農業用パイプビニールハウスの製造方法を提供することにある。
【課題を解決するための手段】
【０００６】
上記課題を解決するため請求項１記載の補強農業用パイプビニールハウスは、設置面に略アーチ状に湾曲した湾曲パイプを所定間隔で複数立設して各湾曲パイプ相互間を複数の横パイプで連結したかまぼこ型骨格部の外面をビニールシートで覆ったかまぼこ型パイプビニールハウスと、
山形に連結された２本の直線状パイプの中途部が前記各湾曲パイプの両側部に固定され、各直線パイプの下端部が設置面の基礎材に固定された山形のパイプ相互間を横パイプで接続した補強骨格部と、
前記補強骨格部の外面を覆うビニールシートとからなることを特徴とする手段とした。
【０００７】
また、請求項２記載の補強農業用パイプビニールハウスは、請求項１記載の補強農業用パイプビニールハウスにおいて、
前記かまぼこ型パイプビニールハウス内の設置面に農業用パイプビニールハウスの設置面より低い窪み部が形成されていることを特徴とする手段とした。
【０００８】
また、請求項３記載の補強農業用パイプビニールハウスは、請求項２記載の補強農業用パイプビニールハウスにおいて、
前記窪み部に高さを要する縦型水耕栽培装置又はラック型栽培装置を備えることを特徴とする手段とした。
【０００９】
また、請求項４記載の補強農業用パイプビニールハウスは、請求項１〜３のいずれか１項に記載の補強農業用パイプビニールハウスにおいて、
前記補強骨格部の両側下端部傾斜外面に太陽光パネルを備えることを特徴とする手段とした。
【００１０】
また、請求項５記載の補強農業用パイプビニールハウスは、請求項１〜４のいずれか１項に記載の補強農業用パイプビニールハウスにおいて、
前記農業用パイプビニールハウスが谷樋を介して複数棟連接した連棟式であることを特徴とする手段とした。
【００１１】
また、請求項６記載の補強農業用パイプビニールハウスの製造方法は、設置面にアーチ状に湾曲した湾曲パイプを所定間隔で複数立設し、各湾曲パイプ相互間を複数の横パイプで連結したかまぼこ型骨格部の外面をビニールシートで覆ったかまぼこ型パイプビニールハウスの外側に、２本の直線状パイプを山形に連結し各直線パイプの中途部を各湾曲パイプの両側部に固定し、各直線パイプの下端部を設置面の基礎材に固定した補強骨格部を形成し、該補強骨格部の外面をビニールシートで覆うことを特徴とする手段とした。
【００１２】
また、請求項７記載の補強農業用パイプビニールハウスの製造方法は、請求項６記載の補強農業用パイプビニールハウスの製造方法において、
前記かまぼこ型パイプビニールハウス内の設置面に農業用パイプビニールハウスの設置面より低い窪み部を形成することを特徴とする手段とした。
【００１３】
また、請求項８記載の補強農業用パイプビニールハウスの製造方法は、請求項７記載の補強農業用パイプビニールハウスの製造方法において、
前記窪み部に高さを要する縦型水耕栽培装置又はラック型栽培装置を設置することを特徴とする手段とした。
【００１４】
また、請求項９記載の補強農業用パイプビニールハウスの製造方法は、請求項６〜８のいずれか１項に記載の補強農業用パイプビニールハウスの製造方法において、
前記補強骨格部の両側下端部傾斜外面に太陽光パネルを備えることを特徴とする手段とした。
【００１５】
また、請求項１０記載の補強農業用パイプビニールハウスの製造方法は、請求項６〜９のいずれか１項に記載の補強農業用パイプビニールハウスの製造方法において、
前記農業用パイプビニールハウスを谷樋を介して複数棟連接した連棟式とすることを特徴とする手段とした。
【発明の効果】
【００１６】
この発明の補強農業用パイプビニールハウスでは、上述のように、山形に連結された２本の直線状パイプの中途部が各湾曲パイプの両側部に固定され、かつ、各直線パイプの下端部が設置面の基礎材に固定された山形のパイプ相互間を複数の横パイプで接続した補強骨格部によってトラス構造が形成されて強度が高められ、更に、山形の外形により、側面からの風圧を斜面に沿って上方へ逃がすと共に、積雪地域においても補強農業用パイプビニールハウスの上に雪が積もることがなくなるため積雪による倒壊を防止することができるようになるという効果が得られる。
また、かまぼこ型骨格部の外面を覆うビニールシートと、補強用骨格部の外面を覆うビニールシートとの間に広い断熱空間部が形成されるため、かまぼこ型パイプビニールハウス内の断熱効果を高めることができ、これにより夏場の冷房コスト及び冬場の暖房コストの大幅な削減が可能になる。
また、既存のかまぼこ型パイプビニールハウスをそのまま利用し、上記効果を有する補強農業用パイプビニールハウスに改良することができる。
【００１７】
また、前記かまぼこ型パイプビニールハウス内の設置面に補強農業用パイプビニールハウスの設置面より低い窪み部が形成されることで、かまぼこ型パイプビニールハウス内の高さ及び体積量を増加させることができ、これにより、高さを要する縦型水耕栽培装置又はラック型栽培装置の設置数量を増すことができることから、従来のかまぼこ型パイプビニールハウスより多くの株数を定植することができ、その結果収量が増加し売上げを大幅に増やすことが可能となる。
また、設置面を掘り下げた窪み部を形成することで、地熱を利用することができるようになる。
【００１８】
また、かまぼこ型骨格部の無駄なスペースである補強骨格部の両側下端部傾斜外面に太陽光パネルを備えることで、農業用パイプビニールハウス内への太陽光照射の妨げになることなしに、効率的に発電をすることができるようになる。
【００１９】
また、農業用パイプビニールハウスを谷樋を介して複数棟連接した連棟式とすることで、谷樋における補強用骨格部の基礎材を共用することができるようになる。
【図面の簡単な説明】
【００２０】
【図１】実施例１の補強農業用パイプビニールハウスの概念図である。
【図２】実施例１の３連棟式補強農業用パイプビニールハウスの正面図である。
【図３】実施例１の３連棟式補強農業用パイプビニールハウスの平面図である。
【図４】図１、図５のＡ−Ａ線における断面図である。
【図５】図４の一部切欠側面図である。
【図６】図１、図５のＢ−Ｂ線における断面図である。
【図７】図１、図５のＣ−Ｃ線における断面図である。
【発明を実施するための形態】
【００２１】
以下にこの発明の実施例を図面に基づいて説明する。
【実施例１】
【００２２】
まず、この実施例１の補強農業用パイプビニールハウスＨを図面に基づいて説明する。
この実施例１では、谷樋２０を介して複数棟連接した連棟式補強農業用パイプビニールハウスについて説明する。
【００２３】
この補強農業用パイプビニールハウスＨは、図１〜７に示すように、かまぼこ型パイプビニールハウス１と、湾曲パイプ２と、横パイプ３と、かまぼこ型骨格部４と、ビニールシート５と、直線状パイプ６と、基礎材７と、横パイプ８と、補強骨格部９と、ビニールシート１０と、窪み部１１と、高さ有する縦型水耕栽培装置１２又はラック型栽培装置と、太陽光パネル１３と、を備えている。
【００２４】
さらに詳述すると、前記かまぼこ型パイプビニールハウス１は、図６、７に示すように、設置面Ｇに略アーチ状に湾曲した湾曲パイプ２を所定間隔で複数立設して各湾曲パイプ２、２相互間を複数の横パイプ３で連結したかまぼこ型骨格部４の外面をビニールシート５で覆った構造となっている。
このかまぼこ型パイプビニールハウス１は、新たに製造しても良いが、既存のものをそのまま利用するようにしても良い。
なお、図５〜７において、４ａは湾曲パイプ２の基礎材である。
【００２５】
前記補強骨格部９は、図５〜７に示すように、山形に連結された２本の直線状パイプ６、６の中途部６ａが前記各湾曲パイプ２の両側中途部に固定され、各直線パイプ６、６の下端部が設置面Ｇの基礎材７に固定された山形のパイプ相互間を複数の横パイプ８で接続され、その外面をビニールシート１０で覆った構造となっている。
【００２６】
なお、図５において、１４はかまぼこ型パイプハウスの前面と後面の上部に備えた送風ファン、１５はかまぼこ型パイプハウスの前面と後面の下部に備えた扉、１６はかまぼこ型パイプハウス１の前面に補強骨格部により延長された前室、１７は前室の前面上部に備えた送風ファン、１８は前室前面の下部に備えた扉を示す。
また、図６、７において、２１は、かまぼこ型パイプビニールハウス１の頭部において両直線パイプ６、６相互間を接続する補強パイプであり、該補強パイプ２１の中途部がかまぼこ型パイプビニールハウス１における湾曲パイプ２の頭部に固定されている。
【００２７】
前記窪み部１１は、かまぼこ型パイプビニールハウス１内から前室１６内にかけての設置面Ｇを掘り下げて形成する。
【００２８】
次に、この実施例１の補強農業用パイプビニールハウスＨの製造方法を説明する。
先ず、既製の又は新たに設置したかまぼこ型パイプビニールハウス１内からその後形成される前室１６内にかけての設置面Ｇを９００〜１０００ｍｍ程度掘り下げて形成する。
次に、２本の直線状パイプ６、６を山形に連結し各直線パイプ６、６の中途部６ａ、６ａを各湾曲パイプ２の両側部に固定し、各直線パイプ６、６の下端部を設置面Ｇの基礎材７、７に固定することで補強骨格部９を形成する。
次に、該補強骨格部９の外面をビニールシート１０で覆うことで完成する。
また、補強骨格部９の両側下端部傾斜外面に太陽光パネル１３を設置する。
【００２９】
次に、この実施例１の効果を説明する。
【００３０】
この実施例１の補強農業用パイプビニールハウスＨでは、上述のように、山形に連結された２本の直線状パイプ６、６の中途部６ａが各湾曲パイプ２の両側部に固定され、かつ、各直線パイプ６、６の下端部が設置面Ｇの基礎材７、７に固定された山形のパイプ相互間を複数の横パイプ８で接続した補強骨格部９によってトラス構造が形成されて強度が高められ、更に、山形の外形により、側面からの風圧を斜面に沿って上方へ逃がすと共に、積雪地域においても農業用パイプビニールハウスＨの上に雪が積もることがなくなるため積雪による倒壊を防止することができるようになるという効果が得られる。
また、かまぼこ型骨格部の外面を覆うビニールシート５と、補強用骨格部９の外面を覆うビニールシート１０との間に広い断熱空間部１９が形成されるため、かまぼこ型パイプビニールハウス１内の断熱効果を高めることができ、これにより夏場の冷房コスト及び冬場の暖房コストの大幅な削減が可能になる。
また、既存のかまぼこ型パイプビニールハウス１をそのまま利用し、上記効果を有する補強農業用パイプビニールハウスＨに改良することができる。
【００３１】
また、前記かまぼこ型パイプビニールハウス１内の設置面に補強農業用パイプビニールハウスＨの設置面より低い窪み部１１が形成されることで、かまぼこ型パイプビニールハウス１内の高さ及び体積量を増加させることができ、これにより、高さを要する縦型水耕栽培装置１２又はラック型栽培装置の設置数量を増すことができることから、従来のかまぼこ型パイプビニールハウスより多くの株数を定植することができ、その結果収量が増加し売上げを大幅に増やすことが可能となる。
また、設置面を掘り下げた窪み部１１を形成することで、地熱を利用することができるようになる。
【００３２】
また、かまぼこ型骨格部の無駄なスペースである補強骨格部９の両側下端部傾斜外面に太陽光パネル１３を備えることで、補強農業用パイプビニールハウスＨ内への太陽光照射の妨げになることなしに、効率的に発電をすることができるようになる。
【００３３】
また、かまぼこ型パイプハウス１の前面に補強骨格部９により延長された前室１６を備えることで、かまぼこ型パイプハウス１内の温度変化を防止すると共に、かまぼこ型パイプハウス１内への菌の侵入を防止することができるようになる。
【００３４】
また、補強農業用パイプビニールハウスＨを複数の連棟式にすることで、谷樋２０における補強用骨格部９の基礎材７を共用することができるようになる。
【００３５】
以上本実施例を説明してきたが、本発明は上述の実施例に限られるものではなく、本発明の要旨を逸脱しない範囲の設計変更等があっても、本発明に含まれる。
【００３６】
例えば、実施例１では、図２おいて、補強農業用パイプビニールハウスＨの連棟方向を東西方向としたが、それ以外の方向であっても良い。
また、補強農業用パイプビニールハウスＨの連棟数は任意である。
【符号の説明】
【００３７】
Ｈ  補強農業用パイプビニールハウス
１  かまぼこ型パイプビニールハウス
２  湾曲パイプ
３  横パイプ
４  かまぼこ型骨格部
４ａ  基礎材
５  ビニールシート
６  直線状パイプ
６ａ  直線状パイプの中途部
７  基礎材
８  横パイプ
９  補強骨格部
１０  ビニールシート
１１  窪み部
１２  縦型水耕栽培装置
１３  太陽光パネル
１４  送風ファン
１５  扉
１６  前室
１７  送風ファン
１８  扉
１９  断熱空間部
２０  谷樋
２１  補強パイプ
【図１】
2019080528.tif 000003
【図２】
2019080528.tif 000004
【図３】
2019080528.tif 000005
【図４】
2019080528.tif 000006
【図５】
2019080528.tif 000007
【図６】
2019080528.tif 000008
【図７】
2019080528.tif 000009
【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
設置面に略アーチ状に湾曲した湾曲パイプを所定間隔で複数立設して各湾曲パイプ相互間を複数の横パイプで連結したかまぼこ型骨格部の外面をビニールシートで覆ったかまぼこ型パイプビニールハウスと、
山形に連結された２本の直線状パイプの中途部が前記各湾曲パイプの両側部に固定され、各直線パイプの下端部が設置面の基礎材に固定された山形のパイプ相互間を横パイプで接続した補強骨格部と、
前記補強骨格部の外面を覆うビニールシートとからなり、
前記補強骨格部の両側下端部傾斜外面に太陽光パネルを備えることを特徴とする補強農業用パイプビニールハウス。
【請求項２】
請求項１記載の補強農業用パイプビニールハウスにおいて、
前記かまぼこ型パイプビニールハウス内の設置面に農業用パイプビニールハウスの設置面より低い窪み部が形成されていることを特徴とする補強農業用パイプビニールハウス。
【請求項３】
請求項１又は２記載の補強農業用パイプビニールハウスにおいて、
前記窪み部に高さを要する縦型水耕栽培装置又はラック型栽培装置を備えることを特徴とする補強農業用パイプビニールハウス。
【請求項４】
請求項１〜３のいずれか１項に記載の補強農業用パイプビニールハウスにおいて、
前記農業用パイプビニールハウスが谷樋を介して複数棟連接した連棟式であることを特徴とする補強農業用パイプビニールハウス。
【請求項５】
設置面にアーチ状に湾曲した湾曲パイプを所定間隔で複数立設し、各湾曲パイプ相互間を複数の横パイプで連結したかまぼこ型骨格部の外面をビニールシートで覆ったかまぼこ型パイプビニールハウスの外側に、２本の直線状パイプを山形に連結し各直線パイプの中途部を各湾曲パイプの両側部に固定し、各直線パイプの下端部を設置面の基礎材に固定した補強骨格部を形成し、該補強骨格部の外面をビニールシートで覆い、前記補強骨格部の両側下端部傾斜外面に太陽光パネルを備えることを特徴とする補強農業用パイプビニールハウスの製造方法。
【請求項６】
請求項５記載の補強農業用パイプビニールハウスの製造方法において、
前記かまぼこ型パイプビニールハウス内の設置面に農業用パイプビニールハウスの設置面より低い窪み部を形成することを特徴とする補強農業用パイプビニールハウスの製造方法。
【請求項７】
請求項５又は６記載の補強農業用パイプビニールハウスの製造方法において、
前記窪み部に高さを要する縦型水耕栽培装置又はラック型栽培装置を設置することを特徴とする補強農業用パイプビニールハウスの製造方法。
【請求項８】
請求項５〜７のいずれか１項に記載の補強農業用パイプビニールハウスの製造方法において、
前記補強農業用パイプビニールハウスを谷樋を介して複数棟連接した連棟式とすることを特徴とする補強農業用パイプビニールハウスの製造方法。
【手続補正２】
【補正対象書類名】明細書
【補正対象項目名】０００６
【補正方法】変更
【補正の内容】
【０００６】
上記課題を解決するため請求項１記載の補強農業用パイプビニールハウスは、設置面に略アーチ状に湾曲した湾曲パイプを所定間隔で複数立設して各湾曲パイプ相互間を複数の横パイプで連結したかまぼこ型骨格部の外面をビニールシートで覆ったかまぼこ型パイプビニールハウスと、
山形に連結された２本の直線状パイプの中途部が前記各湾曲パイプの両側部に固定され、各直線パイプの下端部が設置面の基礎材に固定された山形のパイプ相互間を横パイプで接続した補強骨格部と、
前記補強骨格部の外面を覆うビニールシートとからなり、
前記補強骨格部の両側下端部傾斜外面に太陽光パネルを備えることを特徴とする手段とした。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、請求項４記載の補強農業用パイプビニールハウスは、請求項１〜３のいずれか１項に記載の補強農業用パイプビニールハウスにおいて、
前記農業用パイプビニールハウスが谷樋を介して複数棟連接した連棟式であることを特徴とする手段とした。
【手続補正５】
【補正対象書類名】明細書
【補正対象項目名】００１１
【補正方法】変更
【補正の内容】
【００１１】
また、請求項５記載の補強農業用パイプビニールハウスの製造方法は、設置面にアーチ状に湾曲した湾曲パイプを所定間隔で複数立設し、各湾曲パイプ相互間を複数の横パイプで連結したかまぼこ型骨格部の外面をビニールシートで覆ったかまぼこ型パイプビニールハウスの外側に、２本の直線状パイプを山形に連結し各直線パイプの中途部を各湾曲パイプの両側部に固定し、各直線パイプの下端部を設置面の基礎材に固定した補強骨格部を形成し、該補強骨格部の外面をビニールシートで覆い、前記補強骨格部の両側下端部傾斜外面に太陽光パネルを備えることを特徴とする手段とした。
【手続補正６】
【補正対象書類名】明細書
【補正対象項目名】００１２
【補正方法】変更
【補正の内容】
【００１２】
また、請求項６記載の補強農業用パイプビニールハウスの製造方法は、請求項５記載の補強農業用パイプビニールハウスの製造方法において、
前記かまぼこ型パイプビニールハウス内の設置面に農業用パイプビニールハウスの設置面より低い窪み部を形成することを特徴とする手段とした。
【手続補正７】
【補正対象書類名】明細書
【補正対象項目名】００１３
【補正方法】変更
【補正の内容】
【００１３】
また、請求項７記載の補強農業用パイプビニールハウスの製造方法は、請求項５又は６記載の補強農業用パイプビニールハウスの製造方法において、
前記窪み部に高さを要する縦型水耕栽培装置又はラック型栽培装置を設置することを特徴とする手段とした。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
また、請求項８記載の補強農業用パイプビニールハウスの製造方法は、請求項５〜７のいずれか１項に記載の補強農業用パイプビニールハウスの製造方法において、
前記農業用パイプビニールハウスを谷樋を介して複数棟連接した連棟式とすることを特徴とする手段とした。